【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段によって撮像する画像のアスペクト比を設定する設定手段と、
前記撮像手段により撮像された画像データを前記アスペクト比での撮影範囲を示して表示手段に表示させる第１のモードと、前記撮像手段により撮像された画像データを前記表示手段に表示させない第２のモードとを制御する表示制御手段とを有し、
前記表示制御手段は、前記第２のモードにおいて、前記設定手段で設定されたアスペクト比での撮影範囲を示す情報と、該アスペクト比での撮影範囲内における焦点検出可能な位置及び測光範囲のうちの少なくとも何れか一方が識別可能な情報表示を前記表示手段に行わせることを特徴とする撮像装置。
【請求項２】
前記表示制御手段は、前記設定手段により設定されたアスペクト比での撮影範囲を示す情報及びグリッドラインを前記表示手段に表示することを特徴とする請求項１に記載の撮像装置。
【請求項３】
前記第２のモードでは、前記撮像手段に結像された画像の合焦状態を測定する処理と前記撮像手段に結像された画像の露出状態を測定する処理とのうちの少なくとも何れか一方を実行することを特徴とする請求項１又は２に記載の撮像装置。
【請求項４】
前記表示制御手段は、前記第２のモードにおいて、前記アスペクト比での撮影範囲を示す情報、並びに、焦点検出可能な位置及び測光範囲のうちの少なくとも何れか一方を示す情報以外の情報は非表示にすることを特徴とする請求項１乃至３の何れか１項に記載の撮像装置。
【請求項５】
位相差ＡＦを行うための焦点検出を行う焦点検出手段を更に有し、
前記焦点検出可能な位置は、前記焦点検出手段で焦点検出を行うことが可能な位置であることを特徴とする請求項１に記載の撮像装置。
【請求項６】
前記焦点検出手段は、前記撮像手段で撮像された画像を用いずに焦点検出を行うことを特徴とする請求項５に記載の撮像装置。
【請求項７】
光学ファインダと、
被写体光を前記撮像手段に入射させる第１の位置と、被写体光を前記焦点検出手段と前記光学ファインダに入射させる第２の位置とで移動可能なミラーとを更に有することを特徴とする請求項５又は６に記載の撮像装置。
【請求項８】
ＡＦ動作の開始を指示する撮影準備指示を受け付け可能な受付手段と、
前記表示制御手段が前記第１のモードで表示を行っている際に前記撮影準備指示に応じて前記ミラーを前記第１の位置から前記第２の位置に移動するように制御する制御手段とを更に有し、
前記表示制御手段は、前記制御手段が前記撮影準備指示に応じて前記ミラーを第２の位置に移動したことに応じて、前記第１のモードから前記第２のモードに切り替えることを特徴とする請求項７に記載の撮像装置。
【請求項９】
複数の前記焦点検出可能な位置のうちＡＦ動作時の焦点検出に用いる位置を選択する選択手段を更に有することを特徴とする請求項１乃至８の何れか１項に記載の撮像装置。
【請求項１０】
前記表示制御手段は、複数の前記焦点検出可能な位置のうち、ＡＦ動作によって合焦した位置を識別可能に表示することを特徴とする請求項１乃至９の何れか１項に記載の撮像装置。
【請求項１１】
前記表示制御手段は、前記第１のモードでは表示していた、シャッタスピード、絞り値、露出補正値、調光補正ＯＮ／ＯＦＦ、ＩＳＯ値、撮影可能枚数、バッテリー容量、ホワイトバランス、画像処理状態、画像サイズ、ドライブモード、ＡＦモード、ＡＥロック、ＡＥブラケットＯＮ／ＯＦＦ、ＦＥブラケットＯＮ／ＯＦＦ、ライブビュー画像のヒストグラムの少なくとも一つの情報を、前記第１のモード から前記第２のモードに切り替えたことに応じて非表示とすることを特徴とする請求項１乃至１０の何れか１項に記載の撮像装置。
【請求項１２】
ＡＥを行うための測光を行う測光手段を更に有し、
前記測光範囲は、前記測光手段で測光を行うことが可能な範囲あることを特徴とする請求項１乃至１１の何れか１項に記載の撮像装置。
【請求項１３】
前記測光手段は、前記撮像手段で撮像された画像を用いずに測光を行うことを特徴とする請求項１２に記載の撮像装置。
【請求項１４】
前記第２のモードにおいて、前記表示制御手段によって前記焦点検出可能な位置を表示させるか否か、あるいは／及び前記 測光範囲を表示させるか否かをユーザーの操作に応じて予め設定する表示設定手段を更に有することを特徴とする請求項１乃至１３の何れか１項に記載の撮像装置。
【請求項１５】
前記表示制御手段は、前記第２のモードにおいて、焦点検出するのに用いる位置を前記選択手段で選択する際に、前記設定手段で設定されたアスペクト比での撮影範囲を示す情報と、該アスペクト比での撮影範囲内における焦点検出可能な位置及び測光範囲のうちの少なくとも何れか一方が識別可能な表示をするように制御することを特徴とする請求項９に記載の撮像装置。
【請求項１６】
前記表示制御手段は、前記第２のモードにおける、前記設定手段で設定するアスペクト比として複数のアスペクト比のうち何れかを選択する画面において、選択されたアスペクト比での撮影範囲を示す情報と、該アスペクト比での撮影範囲内における焦点検出可能な位置及び測光範囲のうちの少なくとも何れか一方が識別可能な表示をするように制御することを特徴とする請求項１乃至１４の何れか１項に記載の撮像装置。
【請求項１７】
撮像手段によって撮像する画像のアスペクト比を設定する設定ステップと、
前記撮像手段により撮像された画像データを前記アスペクト比での撮影範囲を示して表示手段に表示させる第１のモードと、前記撮像手段により撮像された画像データを前記表示手段に表示させない第２のモードとを制御する表示制御ステップとを含み、
前記表示制御ステップは、前記第２のモードにおいて、前記設定ステップで設定されたアスペクト比での撮影範囲を示す情報と、該アスペクト比での撮影範囲内における焦点検出可能な位置及び測光範囲のうちの少なくとも何れか一方が識別可能な情報表示を前記表示手段に行わせることを特徴とする撮像装置の制御方法。
【請求項１８】
コンピュータを、請求項１乃至１６の何れか１項に記載の撮像装置の各手段として機能させるプログラム。
【請求項１９】
コンピュータを、請求項１乃至１６の何れか１項に記載の撮像装置の各手段として機能させるプログラムを格納したコンピュータが読み取り可能な記憶媒体。
【手続補正２】
【補正対象書類名】明細書
【補正対象項目名】発明の名称
【補正方法】変更
【補正の内容】
【発明の名称】撮像装置、その制御方法及びプログラム
【手続補正３】
【補正対象書類名】明細書
【補正対象項目名】０００７
【補正方法】変更
【補正の内容】
【０００７】
本発明の撮像装置は、撮像手段と、前記撮像手段によって撮像する画像のアスペクト比を設定する設定手段と、前記撮像手段により撮像された画像データを前記アスペクト比での撮影範囲を示して表示手段に表示させる第１のモードと、前記撮像手段により撮像された画像データを前記表示手段に表示させない第２のモードとを制御する表示制御手段とを有し、前記表示制御手段は、前記第２のモードにおいて、前記設定手段で設定されたアスペクト比での撮影範囲を示す情報と、該アスペクト比での撮影範囲内における焦点検出可能な位置及び測光範囲のうちの少なくとも何れか一方が識別可能な情報表示を前記表示手段に行わせることを特徴とする。